(57)【要約】【課題】  従来の紙製陳列棚よりも本体の開口側領域の強度が高く、重いものを載せても変形しにくい紙製陳列棚を提供することにある。【解決手段】  本発明の紙製陳列棚は、本体の対向面の開口側領域に、当該対向面が設けられた部材の他の部分よりも強度の高い柱部が設けられたものである。柱部には、本体に設けられた棚板の棚板前端側領域を支持可能な棚板受け部を設けることができる。棚板に広がり規制片を、柱部に当該広がり規制片を差込み可能な差込ポケットを設け、広がり規制片が差込ポケットに収まると、本体の幅方向外側への広がりが規制されるようにしてもよい。棚板の前端側にこぼれ止め又は下向きに折り曲げられた前面支持部を設け、柱部にこぼれ止めや前面支持部を縦向きに収まる収容部を設けることもできる。【選択図】図１
2019000245.tif 000002
【特許請求の範囲】
【請求項１】
本体に一又は二以上の棚板が設けられた紙製陳列棚において、
前記本体は、少なくとも対向する対向面と当該対向面の間に形成された開口を備え、
前記対向面の双方又はいずれか一方の開口側領域に、当該対向面が設けられた部材の他の部分よりも強度の高い柱部が設けられた、
ことを特徴とする紙製陳列棚。
【請求項２】
請求項１記載の紙製陳列棚において、
柱部に棚板前端側領域を支持する棚板受け部が設けられた、
ことを特徴とする紙製陳列棚。
【請求項３】
請求項２記載の紙製陳列棚において、
棚板に広がり規制片が設けられ、
柱部に前記広がり規制片を差込み可能な差込ポケットが設けられ、
前記広がり規制片が前記差込ポケットに収まると、本体の幅方向外側への広がりが規制される、
ことを特徴とする紙製陳列棚。
【請求項４】
請求項１から請求項３のいずれか１項に記載の紙製陳列棚において、
棚板の前端側に上向きに折り曲げられたこぼれ止め又は下向きに折り曲げられた前面支持部が設けられ、
柱部に前記こぼれ止め又は前面支持部が縦向きに収まる収容部が設けられた、
ことを特徴とする紙製陳列棚。
【請求項５】
請求項１から請求項４のいずれか１項に記載の紙製陳列棚において、
開口が対向する二面の間の前面側と背面側に設けられ、
前記対向する二面の双方又はいずれか一方の面のうち、前面側の開口側領域と背面側の開口側領域の双方又はいずれか一方に柱部が設けられた、
ことを特徴とする紙製陳列棚。
【請求項６】
請求項１から請求項４のいずれか１項に記載の紙製陳列棚において、
本体が背面部と当該背面部の幅方向一側方に設けられた左側面部と当該背面部の幅方向他側方に設けられた右側面部を備えた平面視コ字状であり、
前記左側面部と右側面部は対向して、当該左側面部と右側面部の間に開口が設けられ、
前記左側面部と右側面部の双方又はいずれか一方の面の開口側領域に柱部が設けられた、
ことを特徴とする紙製陳列棚。
【請求項７】
請求項１から請求項４のいずれか１項に記載の紙製陳列棚において、
本体が左側面部と右側面部を備えた平面視三角形状であり、
前記左側面部と右側面部は対向して、当該左側面部と右側面部の間に開口が設けられ、
前記左側面部と右側面部の双方又はいずれか一方の面の開口側領域に柱部が設けられた、
ことを特徴とする紙製陳列棚。
【請求項８】
請求項１から請求項４のいずれか１項に記載の紙製陳列棚において、
本体が弧状に湾曲した一又は二以上の部材で構成された平面視円弧状であり、
前記本体はその両端部に対向面を備え、
前記対向面の双方又はいずれか一方の面の開口側領域に柱部が設けられた、
ことを特徴とする紙製陳列棚。
【発明の詳細な説明】
【技術分野】
【０００１】
本発明は、化粧品や飲食物といった各種商品（物品）の陳列や展示に用いる陳列棚に関し、特に、段ボール（プラスチックダンボールを含む）やボール紙などの素材で構成された陳列棚（本願において、プラスチック製のものも含めて「紙製陳列棚」という）に関する。
【背景技術】
【０００２】
化粧品や飲食物といった各種商品の陳列や展示には、商品ディスプレイやＰＯＰディスプレイと呼ばれる紙製陳列棚が用いられている。
【０００３】
従来、紙製陳列棚として、棚板に設けられた係止片を側面部材に設けられた水平切込線の内側に差し込むとともに、突出係止片を背面部材に設けられた切抜孔に差し込むことによって、棚板を本体に組み付けるもの（特許文献１）が提案されている。
【先行技術文献】
【特許文献】
【０００４】
【特許文献１】特許第５９６４７６１号公報
【発明の概要】
【発明が解決しようとする課題】
【０００５】
紙製陳列棚は様々な商品の陳列に用いられ、水や酒類、調味料、缶詰といった重いものの陳列に用いられることもある。このような重いものを載せた場合に変形しないよう、紙製陳列棚には一定の強度が求められる。特に、本体の前面側は商品を出し入れするために開口しており、棚板の前端側（本体の開口側をいう。本願において同じ。）は側面側や背面側に比べて強度が低い傾向にある。
【０００６】
前記特許文献１記載の紙製陳列棚は、棚板のうち、商品の出し入れを行うための開口側の端部（棚板の前端部）を含む部分が支持されていないため、重たいものを載せたときに、棚板の先端側や棚板を支持する部分が変形するとか、荷重に耐えられずに商品が落下するといった不都合を生じるおそれがある。
【０００７】
本発明の解決課題は、従来の紙製陳列棚よりも、本体の側面部の開口寄りの領域（本願において、「開口側領域」という）の強度が高く、重いものを載せても変形しにくい紙製陳列棚を提供することにある。
【課題を解決するための手段】
【０００８】
本発明の紙製陳列棚は、本体の側面部の開口側領域に、当該側面部の他の部分よりも強度の高い柱部が設けられたものである。柱部には、本体に設けられた棚板の少なくとも前端部を含む領域（本願において「棚板前端側領域」という）を支持可能な支持部を設けることができる。
【発明の効果】
【０００９】
本発明の紙製陳列棚は、本体の側面部の開口側領域に側面部の他の部分よりも強度の高い柱部が設けられているため、本体開口側の強度が高く、重いものを載せたときに変形するとか、変形によって商品が落下するといった不都合が生じにくい。
【図面の簡単な説明】
【００１０】
【図１】本発明の紙製陳列棚の一例を示す斜視図。
【図２】（ａ）は棚板を棚板受け部で支持する前の状態を示す斜視図、（ｂ）は棚板を棚板受け部で支持した状態示す斜視図。
【図３】（ａ）は棚板受け部及び差込ポケットの説明図、（ｂ）は差込ポケットに広がり規制片が収まっていない状態の棚板受け部及び差込ポケット部分の断面図、（ｃ）は差込ポケットに広がり規制片が収まっている状態の棚板受け部及び差込ポケット部分の断面図。
【図４】（ａ）は図１に示す紙製陳列棚の棚板の動きの説明図、（ｂ）は図１に示す紙製陳列棚の平面図、（ｃ）は（ａ）のＡ−Ａ断面図、（ｄ）は（ａ）のＢ−Ｂ断面図、（ｅ）はこぼれ止めの動きの説明図。
【図５】（ａ）は差込み式の棚板の説明図、（ｂ）は係止式の棚板の説明図。
【図６】（ａ）はこぼれ止めのない棚板を用いた紙製陳列棚の斜視図、（ｂ）は（ａ）の柱部に設けられた棚板受け部と広がり規制片の説明図。
【図７】右側面部及び左側面図を台形状とした紙製陳列棚の斜視図。
【図８】棚板を前下がりとした紙製陳列棚の斜視図。
【図９】図８に示す紙製陳列棚の縦断面図。
【図１０】棚板を前上がりとした紙製陳列棚の斜視図。
【図１１】図１０に示す紙製陳列棚の縦断面図。
【図１２】（ａ）は左側面部と右側面部をハ字状にして本体を前広がりの形状とした紙製陳列棚の斜視図、（ｂ）は（ａ）の平面図。
【図１３】（ａ）は本体を平面視三角形状とした紙製陳列棚の斜視図、（ｂ）は（ａ）の棚板の説明図、（ｃ）は（ａ）の平面図。
【図１４】（ａ）は本体を平面視半円状とした紙製陳列棚の斜視図、（ｂ）は左側面部、背面部及び右側面部が連続した部材で形成された場合の平面図。
【発明を実施するための形態】
【００１１】
（実施形態１）
本発明の紙製陳列棚の一例を、図１〜図５（ａ）（ｂ）を参照して説明する。一例として図１に示す紙製陳列棚は、本体１と三段の棚板２を備えている。本体１は、左側面部３の一側方に背面部４が、背面部４の一側方に右側面部５が設けられた平面視コ字状であり、左側面部３と右側面部５が対向するようにしてある。この実施形態では、対向面である左側面部３と右側面部５の間に商品出し入れ用の開口６が設けられている。本体１は自立可能であり、フロア（床）やテーブル等の平坦な部分において使用することができる。
【００１２】
左側面部３、背面部４、右側面部５の内側には三段の棚板２が設けられている。本体１及び棚板２は、段ボールやボール紙、プラスチック段ボールのような折り曲げ可能な材料（紙製材料）を複数枚貼りあわせて製作するものであり、各面部が一又は二以上の材料で構成される。本願では段ボールで製作された紙製陳列棚を一例としている。なお、図１の例では背面部４の上端に平板状の看板７を着脱可能に取り付けてあるが、看板７は必要に応じて設ければよく、不要な場合には省略することができる。
【００１３】
前記本体１の左側面部３の開口側領域３ｘには、左側面部３の他の部分よりも強度の高い柱部８が設けられている。この実施形態では、左側面部３を構成する板材を先端側で折返し、その折返し面９を当該左側面部３の内面側に接着剤で固定することによって柱部８を構成してある。折返し面９と左側面部３の間には二枚の平板状のスペーサー１０を配置してあり、それら左側面部３、スペーサー１０及び折返し面９が接着手段（例えば、接着剤、両面テープ、面状ファスナー等）で密着固定してある。左側面部３、スペーサー１０及び折返し面９を隙間なく密着固定することで、固定されていない場合よりも強度を高くして、鉛直方向や水平方向等の外力が加わったときに折れ曲がりにくくしてある。スペーサー１０は二枚より多くても少なくてもよい。不要な場合にはスペーサー１０は省略することもできる。なお、スペーサー１０を設けないときは、左側面部３と折返し面９とを接着手段で密着固定させることで強度を維持することができる。
【００１４】
柱部８は左側面部３を構成する板材を折り返す代わりに、左側面部３の内側に折返し面９と同様の形状の補強材（図示しない）を一枚又は二枚以上貼り付けるなどして構成することもできる。この場合も、必要に応じて、左側面部３と補強材の間に適宜枚数のスペーサー１０を設けることができる。補強材やスペーサー１０には、紙製材料のほか、プラスチック製の平板材などを用いることもできる。補強材やスペーサー１０としてプラスチック製の平板材のような紙製材料よりも強度の高いものを用いることで、柱部８の強度がより高まる。なお、本発明では、左側面部３の柱部８以外の部分を段ボール（紙製材料）一枚で構成するなどすることにより、製造単価を下げることができる。
【００１５】
図２（ａ）（ｂ）及び図３（ａ）〜（ｃ）に示すように、前記柱部８には、棚板前端側領域２ｘ（図４（ａ）（ｅ））を支持する棚板受け部８ａが設けられている。棚板受け部８ａは柱部８を切欠くことによって形成されている。この実施形態１の切欠きは弧状の切欠きと矩形の切欠きを合わせた形状であり、この矩形の切欠きによって形成された水平部分が棚板２の棚板前端側領域２ｘを支持する棚板受け部８ａである。棚板受け部８ａは棚板前端側領域２ｘを支持可能であれば、図示するよりも本体１の奥行き方向に長くすることもできる。
【００１６】
図２（ａ）（ｂ）及び図３（ａ）〜（ｃ）に示すように、棚板受け部８ａの下側であって折返し面９（又は補強材）と左側面部３の間には、棚板２に設けられた広がり規制片２ｂを係止する差込ポケット８ｂが設けられている。棚板２を棚板受け部８ａで支持させる際に、当該広がり規制片２ｂを差込ポケット８ｂに差し込むことで、本体１が外側に広がるのが規制される。差込ポケット８ｂは左側面部３及び右側面部５の各棚板受け部８ａの下側に設けてある。
【００１７】
前記右側面部５の構成は、左右の向きが異なる点を除き、左側面部３の構成と同様である。右側面部５の棚板受け部８ａ及び差込ポケット８ｂは、左側面部３の棚板受け部８ａ及び差込ポケット８ｂと同じ高さに設けてあり、支持される棚板２が水平になるように（左右に傾かないように）してある。また、右側面部５の棚板受け部８ａ及び差込ポケット８ｂは、左側面部３の棚板受け部８ａ及び差込ポケット８ｂと同じ数だけ設けてある。
【００１８】
前記棚板２は、前記本体１の内側に配置された物品を載せる部材である。一例として図１〜図４（ａ）に示す棚板２は、物品を載せる載せ面２ａと、その載せ面２ａの幅方向両外側に下向きに折返し可能な広がり規制片２ｂと、載せ面２ａの後端部に下向きに折返し可能な固定片２ｃと、載せ面２ａの前端部に上向きに折返し可能なこぼれ止め２ｄを備えている。広がり規制片２ｂは左側面部３及び右側面部５に設けられた差込ポケット８ｂに差し込む部分、固定片２ｃは背面部４の内面側に固定する部分、こぼれ止め２ｄは載せ面２ａに載せた物品が前方から落下する（こぼれる）のを防止する部分である。棚板２は固定片２ｃを背面部４の内側面に固定することによって、使用状態（物品を載せられるように倒した状態）から起立状態（垂直又は略垂直に立ち上がった状態）まで回動させられるようにしてある。
【００１９】
前記棚板２のこぼれ止め２ｄは、図４（ｅ）に示すように、載せ面２ａの前端側を上向きに折返し、その折返し部分を載せ面２ａの表面側に貼り付けて構成してある。こぼれ止め２ｄは載せ面２ａよりも肉厚として強度を高くしてある。強度を高くすることによって、柱部８の矩形の切欠き部分（本願において「収容部」という）８ｃに収まったときに、鉛直方向の力が加わっても曲がりにくいというメリットがある。
【００２０】
載せ面２ａとこぼれ止め２ｄの間には折り曲げ部２ｅが設けられ、当該折り曲げ部２ｅ部分でこぼれ止め２ｄを回転させられるようにしてある。この実施形態のこぼれ止め２ｄは、図４（ｅ）のように、立ち上がった状態（起立状態）から倒伏方向に９０度程度回転させられるようにしてある。こぼれ止め２ｄはこれ以上の広い角度で回転させられるようにしてもよく、上下双方向に回転させられるようにしてもよい。なお、起立状態にあるこぼれ止め２ｄは、収容部８ｃを構成する縦向きの面（前受け面）８ｄによって前方に倒れないように支持される。
【００２１】
この実施形態の棚板２は背面部４の内面側に固定するタイプのものであるが、これ以外の構造とすることもできる。一例として図５（ａ）に示す棚板２は、載せ面２ａの後端側に設けられた差込片２ｆを背面部４の差し込み孔４ａに差し込んで固定するタイプのものである。差し込み孔４ａに差し込んだ差込片２ｆは、背面部４の裏側で下向き又は上向きに折返し、背面部４に固定することができる。図５（ａ）に示す棚板２も、図１〜図４（ａ）に示す広がり規制片２ｂ、こぼれ止め２ｄ及び折り曲げ部２ｅを備えている。
【００２２】
棚板２の他例として図５（ｂ）に示すものは、載せ面２ａの後端側に設けられた係止面２ｇを背面部４に設けられた下向きコ字状の受け溝４ｂに係止して固定するタイプのものである。図５（ｂ）に示す棚板２も、図１〜図４（ａ）や図５（ａ）に示す広がり規制片２ｂ、こぼれ止め２ｄ及び折り曲げ部２ｅを備えている。前記棚板２の構成は一例であり、棚板２はこれら以外の構成とすることもできる。
【００２３】
（実施形態２）
本発明の紙製陳列棚の他例を、図６（ａ）（ｂ）を参照して説明する。この実施形態の紙製陳列棚の基本的な構造は実施形態１と同様である。異なるのは、棚板２がこぼれ止め２ｄを備えていない点、載せ面２ａの前端側に下向きに折り返された前面支持部２ｈが設けられた点、及び棚板受け部８ａを形成する切欠きの形状である。
【００２４】
前記前面支持部２ｈは、実施形態１のこぼれ止め２ｄとは反対に、載せ面２ａの前端側を下向きに折返し、その折返し部分を載せ面２ａの裏面側に貼り付けて構成してある。こぼれ止め２ｄと同様、前面支持部２ｈも載せ面２ａよりも肉厚として強度を高くしてある。載せ面２ａと前面支持部２ｈの間には折り曲げ部２ｅが設けられ、前面支持部２ｈを所望角度に回動させられるようにしてある。図６（ａ）（ｂ）に示す棚板２も、実施形態１における固定片２ｃ及び広がり規制片２ｂを備えている。
【００２５】
実施形態１同様、左側面部３及び右側面部５の柱部８には、棚板前端側領域２ｘを支持する棚板受け部８ａが設けられている。棚板受け部８ａは柱部８を切欠くことによって形成されている。この実施形態では、棚板２の棚板前端側領域２ｘを支持する棚板受け部８ａの一端側に縦長スリット状の収容部８ｃが設けられている。このスリット状の収容部８ｃには、図６（ｂ）に示すように、棚板２の前面支持部２ｈが収まるようにしてある。
【００２６】
（実施形態３）
本発明の紙製陳列棚の他例を、図７を参照して説明する。この実施形態の紙製陳列棚の基本的な構造は実施形態１と同様である。異なるのは、左側面部３及び右側面部５の形状である。
【００２７】
この実施形態の左側面部３及び右側面部５は、上辺（上底）が下辺（下底）よりも狭い台形状としてある。三段の棚板２は、その前後方向の寸法が下段に行くにしたがって大きくなるようにしてある。左側面部３及び右側面部５の形状は、柱部８を設けることができれば、これ以外の形状とすることもできる。
【００２８】
（実施形態４）
本発明の紙製陳列棚の他例を、図８〜図１１を参照して説明する。この実施形態の紙製陳列棚の基本的な構造は実施形態１と同様である。異なるのは、棚板２及び棚板受け部８ａの角度である。
【００２９】
図８及び図９に示す紙製陳列棚は、棚板２を前下がりとした場合の一例を示すもの、図１０及び図１１に示す紙製陳列棚は、棚板２を前上がりとした場合の一例を示すものである。棚板２は図８〜図１１に示す以外の角度とすることもできる。また、すべての棚板２を前下がりや前上がりとするのではなく、一部の棚板２だけを前下がりや前上がりすることもできる。本発明では、柱部８に設ける切欠きの形状を変えることによって、棚板２を所望角度にすることができる。
【００３０】
本発明では、棚板前端側領域２ｘが棚板受け部８ａで支持されるため、棚板２を前下がりや前上がりとしても、棚板２の前端側や棚板２を支持する部分が変形するとか、荷重に耐えられずに商品が落下したりするといった不都合が生じにくい。
【００３１】
（実施形態５）
本発明の紙製陳列棚の他例を、図１２（ａ）（ｂ）を参照して説明する。この実施形態の紙製陳列棚の基本的な構造は実施形態１と同様である。異なるのは、本体１の形状及び棚板２の形状である。
【００３２】
図１２（ａ）に示す紙製陳列棚の本体１は、背面部４の横幅を狭くし、左側面部３と右側面部５を前面の開口６側が背面部４側よりも広くなるように（前広がりとなるように）角度をつけて設けてある。この実施形態でも、対向面である左側面部３と右側面部５の間に商品出し入れ用の開口６が設けられている。開口６の外側に位置する左側面部３の開口側領域３ｘと右側面部５の開口側領域５ｘには、実施形態１と同様の柱部８が設けられている。
【００３３】
前記棚板２は、載せ面２ａの前端側に上向きに折り返されたこぼれ止め２ｄと、載せ面２ａの左側面部３側の端部及び右側面部５側の端部に下向きに折り返された広がり規制片２ｂと、載せ面２ａの背面部４側の端部に下向きに折り返された固定片２ｃを備えている。広がり規制片２ｂは柱部８に設けられた差込ポケット８ｂに差し込む部分、固定片２ｃは背面部４の内面側に固定する部分、こぼれ止め２ｄは載せ面２ａに載せた物品が前方から落下する（こぼれる）のを防止する部分である。棚板２は固定片２ｃを背面部４の内側面に固定することによって、使用状態から起立状態まで回動させられるようにしてある。図１２（ｂ）に示すように、この実施形態の載せ面２ａは前面側が背面側よりも幅広な平面視台形状として、本体１の形状に合うようにしてある。
【００３４】
（実施形態６）
本発明の紙製陳列棚の他例を、図１３（ａ）〜（ｃ）を参照して説明する。この実施形態の紙製陳列棚の基本的な構造は実施形態１と同様である。異なるのは、本体１の形状及び棚板２の形状である。
【００３５】
図１３（ａ）に示す紙製陳列棚の本体１は、左側面部３と右側面部５の後端部が連続する平面視三角形状である。実施形態１と異なり背面部４は備えていない。対向面である左側面部３と右側面部５の間には、商品出し入れ用の開口６が設けられている。開口６の外側に位置する左側面部３の開口側領域３ｘ及び右側面部５の開口側領域５ｘには、実施形態１と同様の柱部８が設けられている。ただし、棚板受け部８ａ、差込ポケット８ｂ及び収容部８ｃが設けられているのは左側面部３の柱部８のみであり、右側面部５の柱部８には設けられていない。
【００３６】
前記棚板２は、載せ面２ａの前端側に上向きに折り返されたこぼれ止め２ｄと、載せ面２ａの左側面部３側の端部に下向きに折り返された広がり規制片２ｂと、載せ面２ａの右側面部５側の端部に下向きに折り返された固定片２ｃを備えている。広がり規制片２ｂは柱部８に設けられた差込ポケット８ｂに差し込む部分、固定片２ｃは右側面部５の内面側に固定する部分、こぼれ止め２ｄは載せ面２ａに載せた物品が前方から落下する（こぼれる）のを防止する部分である。棚板２は固定片２ｃを右側面部５の内側面に固定することによって、使用状態から起立状態まで回動させられるようにしてある。
【００３７】
図１３（ａ）（ｂ）に示す例では、棚板受け部８ａ、差込ポケット８ｂ及び収容部８ｃを左側面部３の柱部８にのみ設ける場合を一例としているが、他の実施形態同様、これらは左側面部３の柱部８と右側面部５の柱部８の双方に設けることもできる。
【００３８】
（実施形態７）
本発明の紙製陳列棚の他例を、図１４（ａ）（ｂ）を参照して説明する。この実施形態の紙製陳列棚の基本的な構造は実施形態１と同様である。異なるのは、本体１の形状及び棚板２の形状である。
【００３９】
図１４（ａ）に示す紙製陳列棚の本体１は、弧状の左側面部３の一側方に弧状の背面部４が、その背面部４の一側方に弧状の右側面部５が設けられた平面視半円形状であり、左側面部３と右側面部５が対向するようにしてある。左側面部３と右側面部５の間には商品出し入れ用の開口６が設けられている。開口６の外側に位置する左側面部３の開口側領域３ｘ及び右側面部５の開口側領域５ｘには、実施形態１と同様の柱部８が設けられている。本体１は、図１４（ｂ）のように一枚の板材を弧状に湾曲させて形成することもできる。この場合も、対向面（左側面部３の開口側領域３ｘ及び右側面部５の開口側領域５ｘに相当する部分）に実施形態１と同様の柱部８を設けることができる。
【００４０】
前記棚板２は、半円形状の載せ面２ａと、載せ面２ａの前端側に上向きに折り返されたこぼれ止め２ｄと、載せ面２ａの弧状の端部に下向きに折り返された係止面２ｇを備えている。この棚板２は本体１から取外すことができる。棚板２を本体１に取り付けるときは、係止面２ｇを本体１の背面部４に設けられた受け溝４ｂに係止し、棚板前端側領域２ｘを柱部８の棚板受け部８ａ上に載せる。取外すときは、棚板受け部８ａで支持された棚板２を上に持ち上げ、受け溝４ｂに係止した係止面２ｇを当該受け溝４ｂから外すことで取外すことができる。
【００４１】
（その他の実施形態）
前記実施形態１〜７に記載の紙製陳列棚は一例であり、一の実施形態の構成を、他の実施形態の紙製陳列棚に適用することもできる。例えば、実施形態１で示した棚板２の構成（図５（ａ）（ｂ）の構成）を他の実施形態の紙製陳列棚に適用したり、実施形態２で示したこぼれ止め２ｄのない棚板２の構成（図６の構成）を他の実施形態の紙製陳列棚に適用したり、実施形態６の棚板２の構成（図１３（ａ）〜（ｃ））を、他の実施形態の紙製陳列棚に適用したりすること等ができる。
【００４２】
前記実施形態では、本体１の前面側に商品取出し用の開口６を備えた紙製陳列棚を一例としているが、本発明の柱部８の構成は、本体１の二以上の面（例えば、前面側と背面側）に開口６を備えた紙製陳列棚にも適用することができる。この場合も、本体１を構成する部材のうち、開口６の両外側に位置する部材の双方又はいずれか一方の開口寄りの領域（開口側領域）に柱部８を設けることができる。
【００４３】
前記実施形態では、載せ面２ａの前端側にこぼれ止め２ｄ又は前面支持部２ｈが設けられた棚板２を一例としているが、本発明の紙製陳列棚では、こぼれ止め２ｄ及び前面支持部２ｈのない棚板２を用いることもできる。
【００４４】
前記実施形態１〜７では、柱部８を対向面の双方に設ける場合を一例としているが、柱部８は対向面のいずれか一方にのみ設けるようにしてもよい。
【００４５】
なお、本願において「棚板前端側領域」とは棚板２の載せ面２ａの前端部（より具体的には、載せ面２ａの裏面の前端部）を含む領域をいい、こぼれ止め２ｄがある場合には当該こぼれ止め２ｄと載せ面２ａの間の折り曲げ部２ｅを含む領域、前面支持部２ｈがある場合には当該前面支持部２ｈと載せ面２ａの間の折り曲げ部２ｅを含む領域、こぼれ止め２ｄも前面支持部２ｈもない場合には載せ面２ａの前端部を含む領域を意味する。換言すれば、「棚板前端側領域」は棚板受け部８ａで支持される領域を意味する。
【００４６】
また、本願において「対向面」とは本体１の開口６の外側に位置する部分をいい、相互に正対しているか否かを問わない。したがって、実施形態１〜４の左側面部３と右側面部５はもちろん、実施形態５（図１２（ａ）（ｂ））及び６（図１３（ａ）（ｂ））のように前広がりに設けられている左側面部３と右側面部５も対向面にあたる。また、実施形態７の例（図１４（ａ）（ｂ））では、相互に向き合っている部分（左側面部３と右側面部５に相当する部分）が対向面にあたる。
【００４７】
また、本願の「開口側領域」とは左側面部３や右側面部５のうち開口寄りの領域をいう。本体１が一枚の板材を弧状に湾曲させた形状である場合（図１４（ｂ）のような場合）など、本体１が左側面部３や右側面部５を備えていない場合にあっては、左側面部３及び右側面部５に相当する部分の開口寄りの領域を意味する。
【００４８】
前記各用語の定義は厳密に解釈されるものではなく、発明の本旨を逸脱しない範囲で広く解釈されるものである。
【産業上の利用可能性】
【００４９】
本発明の紙製陳列棚は様々な用途に用いることができ、一例として、小売店や展示会の会場等において、各種商品（物品）を陳列したり展示したりするのに用いることができる。
【符号の説明】
【００５０】
１      本体
２      棚板
２ａ    載せ面
２ｂ    広がり規制片
２ｃ    固定片
２ｄ    こぼれ止め
２ｅ    折り曲げ部
２ｆ    差込片
２ｇ    係止面
２ｈ    前面支持部
２ｘ    棚板前端側領域
３      左側面部
３ｘ    開口側領域
４      背面部
４ａ    差し込み孔
４ｂ    受け溝
５      右側面部
５ｘ    開口側領域
６      開口
７      看板
８      柱部
８ａ    棚板受け部
８ｂ    差込ポケット
８ｃ    収容部
８ｄ    前受け面
９      折返し面
１０    スペーサー
【図１】
2019000245.tif 000003
【図２】
2019000245.tif 000004
【図３】
2019000245.tif 000005
【図４】
2019000245.tif 000006
【図５】
2019000245.tif 000007
【図６】
2019000245.tif 000008
【図７】
2019000245.tif 000009
【図８】
2019000245.tif 000010
【図９】
2019000245.tif 000011
【図１０】
2019000245.tif 000012
【図１１】
2019000245.tif 000013
【図１２】
2019000245.tif 000014
【図１３】
2019000245.tif 000015
【図１４】
2019000245.tif 000016